(57)【要約】【課題】小型化することを可能とするとともに、より多くの記録媒体を収容することを可能とする記録媒体再生装置を提供する。【解決手段】ＣＤチェンジャはホルダ１９と揺動シャーシ１７と移動フレーム６６と光ピックアップ７８とロック部材８２，８３を備えている。ホルダ１９はＣＤ２を保持する。揺動シャーシ１７は他端部１７ｂが複数のＣＤ２間に侵入し複数のＣＤ２間から離脱する。移動フレーム６６は揺動シャーシ１７に対し移動自在である。光ピックアップ７８は移動フレーム６６に設置されている。ロック部材８２，８３は移動フレーム６６を揺動シャーシ１７に対し移動自在にするロック解除位置と移動フレーム６６を揺動シャーシ１７に固定するロック位置とに亘って変位する。ロック解除位置からロック位置に変位する際にロック部材８２，８３は移動フレーム６６を揺動シャーシ１７に近づける。【選択図】図５３
2005293715.tif 000002
【特許請求の範囲】
【請求項１】
記録媒体を保持可能な複数の保持部材を積層配列して収容する収容部と、
前記保持部材に保持された記録媒体を再生する再生手段と、
前記収容部に収容された記録媒体の情報記録面と対向する位置に前記再生手段を移動する移動手段と、
一つの記録媒体を保持する保持部材と他の記録媒体を保持する保持部材とを前記記録媒体の配列方向に沿って離間する分離手段と、を備えた記録媒体再生装置であって、
一端部を中心として回転自在に設けられかつこの一端部を中心として回転することで、前記一つの記録媒体を保持する保持部材と他の記録媒体を保持する保持部材との間に侵入する揺動シャーシと、
前記揺動シャーシに設けられかつ前記再生手段を設置した移動フレームと、
前記再生手段が前記保持部材に保持された記録媒体を再生する際には前記移動フレームが前記揺動シャーシに対し移動することを許容するロック解除位置に変位し、前記揺動シャーシが前記一端部を中心として回転する際には前記移動フレームが前記揺動シャーシに対し移動することを規制するロック位置に変位するロック手段とを備え、
前記ロック手段は、前記ロック解除位置から前記ロック位置に変位する際に、前記移動フレームを前記配列方向に沿って前記揺動シャーシに近づけることを特徴とする記録媒体再生装置。
【請求項２】
前記ロック手段は、前記揺動シャーシに移動自在に設けられた本体部と、この本体部から立設しかつ前記移動フレームに係止可能な係止爪と、を備え、
前記本体部が前記揺動シャーシに対し移動することで、前記係止爪が前記移動フレームに係止して前記ロック位置に変位し、前記係止爪の前記移動フレームへの係止が解除される前記ロック解除位置に変位することを特徴とする請求項１記載の記録媒体再生装置。
【請求項３】
前記ロック手段が複数設けられていることを特徴とする請求項１又は請求項２記載の記録媒体再生装置。
【請求項４】
前記ロック手段は、前記揺動シャーシが一端部を中心として回転するのに連動して、前記ロック解除位置とロック位置とに亘って変位することを特徴とする請求項１ないし請求項３のうちいずれか一項に記載の記録媒体再生装置。
【請求項５】
前記一端部を中心として揺動シャーシを回転させる駆動源と、前記ロック手段を前記ロック解除位置とロック位置とに亘って変位させる駆動源とが同一であることをことを特徴とする請求項４記載の記録媒体再生装置。
【発明の詳細な説明】
【技術分野】
【０００１】
本発明は、自動車などに搭載される記録媒体再生装置に関し、更に詳しくは、複数の記録媒体を機器本体内に収容し、これらの記録媒体のうち一つの記録媒体に記録された情報を再生する記録媒体再生装置に関する。
【背景技術】
【０００２】
コンパクトディスク（以下、ＣＤと記す）などの記録媒体を複数枚収容し、これら複数の記録媒体から任意の一つの記録媒体の情報を再生する記録媒体再生装置が用いられている（例えば、特許文献１参照）。この種の記録媒体再生装置は、例えば、自動車などに搭載されるとともに、機器本体と、複数の保持部材と、分離機構と、再生機構などを備えている。
【０００３】
機器本体は、扁平な箱状に形成されている。複数の保持部材は、互いに重ねられた格好で機器本体内に収容されている。分離機構は、複数の保持部材それぞれを、これらの保持部材が重なる方向に沿って移動する。分離機構は、複数の保持部材を移動して、情報を再生する記録媒体を保持した一つの保持部材を、他の保持部材から離す。
【０００４】
再生機構は、機器本体に一端部を中心として回転自在に設けられた揺動シャーシと、この揺動シャーシ上に設置されたピックアップ駆動部とを備えている。ピックップ駆動部は、揺動シャーシに移動自在に設けられた移動フレームと、この移動フレーム上に設けられたターンテーブルと、光ピックアップと、を備えている。ターンテーブルは、記録媒体をクランプして、この記録媒体を回転する。光ピックアップは、ターンテーブルに接離して、記録媒体の情報記録面の所定の位置から情報を読み出す。
【０００５】
前述した記録媒体再生装置は、分離機構が一つの記録媒体を保持した保持部材を、他の保持部材から離す。そして、記録媒体再生装置は、再生機構の揺動シャーシが一端部を中心として回転することで、ピックップ駆動部が、前述した一つの記録媒体と他の記録媒体との間に侵入する。記録媒体再生装置は、光ピックアップが記録媒体から情報を読み出して、この読み出した情報を再生する。また、記録媒体再生装置は、分離機構が保持部材を移動する際には、揺動シャーシ則ちピックップ駆動部が前述した一つの記録媒体と他の記録媒体との間から抜け出る。
【特許文献１】特開２００２−３０４８００号公報
【発明の開示】
【発明が解決しようとする課題】
【０００６】
前述した従来の記録媒体再生装置は、小型化と、より多くの記録媒体を収容できることとが求められている。しかしながら、前述した従来の記録媒体再生装置は、自動車などの移動体に搭載された際に、この移動体の振動が光ピックアップの情報の読み取りを妨げないように、揺動シャーシに対し移動フレーム則ちピックアップ駆動部が移動自在になっている。このため、ピックアップ駆動部の移動可能な範囲には、他の電気部品などを配置することが困難となり、大型化及び収容する記録媒体の枚数が少なくなる傾向であった。
【０００７】
本発明の目的は、例えば、小型化することを可能とするとともに、より多くの記録媒体を収容することを可能とする記録媒体再生装置を提供することにある。
【課題を解決するための手段】
【０００８】
前記課題を解決し目的を達成するために、請求項１に記載の本発明の記録媒体再生装置は、記録媒体を保持可能な複数の保持部材を積層配列して収容する収容部と、前記保持部材に保持された記録媒体を再生する再生手段と、前記収容部に収容された記録媒体の情報記録面と対向する位置に前記再生手段を移動する移動手段と、一つの記録媒体を保持する保持部材と他の記録媒体を保持する保持部材とを前記記録媒体の配列方向に沿って離間する分離手段と、を備えた記録媒体再生装置であって、一端部を中心として回転自在に設けられかつこの一端部を中心として回転することで、前記一つの記録媒体を保持する保持部材と他の記録媒体を保持する保持部材との間に侵入する揺動シャーシと、前記揺動シャーシに設けられかつ前記再生手段を設置した移動フレームと、前記再生手段が前記保持部材に保持された記録媒体を再生する際には前記移動フレームが前記揺動シャーシに対し移動することを許容するロック解除位置に変位し、前記揺動シャーシが前記一端部を中心として回転する際には前記移動フレームが前記揺動シャーシに対し移動することを規制するロック位置に変位するロック手段とを備え、前記ロック手段は、前記ロック解除位置から前記ロック位置に変位する際に、前記移動フレームを前記配列方向に沿って前記揺動シャーシに近づけることを特徴としている。
【発明を実施するための最良の形態】
【０００９】
以下、本発明の一実施形態にかかる記録媒体再生装置を説明する。本発明の一実施形態にかかる記録媒体再生装置は、ロック手段が、揺動シャーシに対し再生手段を設置した移動フレームを移動自在にするロック解除位置と、揺動シャーシに移動フレームを固定するロック位置とに亘って変位する際に、移動フレームを揺動シャーシに近づける。このように、ロック位置の揺動シャーシと移動フレームとを合わせた厚みを、ロック解除位置の揺動シャーシと移動フレームとを合わせた厚みより薄くすることで、揺動シャーシが一端部を中心として回転する際の揺動シャーシと移動フレームとを合わせた軌跡を小さくできるようにしている。こうすることで、小型化を可能とするとともに、より多くの記録媒体を収容することを可能としたものである。
【００１０】
また、本発明は、ロック手段が、移動フレームに移動自在な本体部と、移動フレームに係止可能な係止爪とを備えても良い。
【００１１】
さらに、本発明は、ロック手段を複数設けても良い。
【００１２】
また、本発明は、揺動シャーシが回転するのに連動して、ロック手段が変位しても良い。
【００１３】
さらに、揺動シャーシを回転する駆動源と、ロック手段を変位させる駆動源とを共通にしても良い。
【実施例】
【００１４】
以下、本発明の一実施例にかかる記録媒体再生装置の一例としてのＣＤチェンジャ１を、図１ないし図５５に基づいて説明する。図１などに示すＣＤチェンジャ１は、自動車などの移動体に装備されて、記録媒体としてのＣＤ２（図２などに示す）を複数収容して、これらのＣＤ２から任意のＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００１５】
ＣＤチェンジャ１は、図２に示すように、機器本体３（図１に示す）と、図示しない操作部と、ディスク搬送部４と、移動手段としての移動機構６０（図３に示す）と、ディスク再生部５と、収容部としてのディスク収容部６と、分離手段としての分離機構７とを備えている。なお、以下、図２中の矢印ＸをＣＤチェンジャ１の幅方向と記し、矢印ＹをＣＤチェンジャ１の奥行き方向と記し、矢印ＺをＣＤチェンジャ１の厚み方向と記す。
【００１６】
機器本体３は、合成樹脂からなる図１に示す外側ケース８と、板金などからなる図２などに示す固定シャーシ９と、図３に示す第２支持部材としての移動シャーシ１６と、図３に示す揺動シャーシ１７と、図３に示す支持部材及び第１の壁としての移動シャーシ１８と、を備えている。外側ケース８は、扁平な箱状に形成されている。外側ケース８には、ＣＤ２を出し入れ可能な挿入口１０が設けられている。挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。
【００１７】
固定シャーシ９は、外側ケース８内に収容されているとともに、該外側ケース８に固定されている。固定シャーシ９は、図３に示すように、板状の底板１１と、この底板１１の外縁から立設した周板１２とを備えている。底板１１は、外側ケース８の図１中下側に位置する壁上に重ねられている。
【００１８】
移動シャーシ１６は、板金などからなり、枠状に形成されている。移動シャーシ１６は、ディスク収容部６のホルダ１９が互いに重なる方向即ち複数のＣＤ２が互いに重なる方向Ｋ（図３などに矢印で示す）に沿って移動自在に、固定シャーシ９の周板１２などに支持されている。
【００１９】
揺動シャーシ１７は、板金などからなり、帯板状に形成されている。揺動シャーシ１７は、一端部１７ａを中心として回動自在に移動シャーシ１６に支持されている。揺動シャーシ１７は、一端部１７ａを中心として回動することで、ディスク収容部６に収容される複数のＣＤ２間に他端部１７ｂが侵入する状態と、ディスク収容部６に収容される複数のＣＤ２間から他端部１７ｂが抜け出る状態とに亘って変位自在になっている。
【００２０】
移動シャーシ１８は、板金などからなり、板状に形成されている。移動シャーシ１８は、固定シャーシ９の底板１１と間隔をあけて平行に配されている。移動シャーシ１８は、固定シャーシ９の底板１１との間にディスク再生部５を位置付けている。移動シャーシ１８は、前述した矢印Ｋに沿って移動自在に固定シャーシ９の周板１２などに支持されている。
【００２１】
操作部は、機器本体３と別体でかつこの機器本体３に接続している。操作部は、ＣＤチェンジャ１の使用者により押圧されるなどして操作される。操作部は、使用者に操作されることで、挿入口１０を通して機器本体３内に挿入されるＣＤ２を保持する後述のホルダ１９を設定するために用いられる。操作部は、使用者に操作されることで、挿入口１０を通して機器本体３外に排出されるＣＤ２を保持したホルダ１９を設定するために用いられる。操作部は、使用者に操作されることで、複数のホルダ１９に保持されたＣＤ２のうち情報を読み出すＣＤ２を設定するために用いられる。
【００２２】
ディスク搬送部４は、機器本体３内に収容されており、図２に示すように、ローラアーム１３と、ローラ１４とを備えている。ローラアーム１３は、板金などからなり、長手方向が機器本体３の幅方向Ｘに沿った帯状に形成されている。ローラアーム１３は、挿入口１０の近傍に配され、機器本体３の固定シャーシ９に取り付けられている。
【００２３】
ローラ１４は、ローラアーム１３に軸芯周りに回転自在に支持されている。ローラ１４の軸芯即ち長手方向は、ＣＤチェンジャ１の幅方向Ｘに沿っている。ローラ１４は、外周面に挿入口１０内を通されるＣＤ２が接触する。ローラ１４は、複数の歯車１５などを介してモータ４１により、軸芯周りに回転される。ローラ１４の外周面にＣＤ２が接触し、ローラ１４がモータ４１により回転駆動されることで、ディスク搬送部４は、挿入口１０内にＣＤ２を通す。
【００２４】
移動機構６０は、図３などに示すように、第１のスライドシャーシ６１と、第２のスライドシャーシ６２と、揺動アーム６３とを備えている。第１のスライドシャーシ６１は、板金からなり、水平部６４と、鉛直片６５とを一体に備えている。水平部６４は、平板状に形成され、かつ固定シャーシ９の板状の底板１１上に重ねられている。
【００２５】
水平部６４は、他端部１７ｂが複数のＣＤ２間から抜け出た状態の揺動シャーシ１７の長手方向に沿ってスライド自在に前記底板１１に支持されている。水平部６４は、分離機構７の後述する駆動源としてのモータ２０の駆動力により、他端部１７ｂが複数のＣＤ２間から抜け出た状態の揺動シャーシ１７の長手方向に沿って移動する。鉛直片６５は、水平部６４の縁から上方即ち第２のスライドシャーシ６２に向かって延びている。
【００２６】
第２のスライドシャーシ６２は、板金からなり、平板状に形成されている。第２のスライドシャーシ６２は、移動シャーシ１６と底板１１との間に配されているとともに、移動シャーシ１６に重ねられている。第２のスライドシャーシ６２は、他端部１７ｂが複数のＣＤ２間から抜け出た状態の揺動シャーシ１７の長手方向に沿ってスライド自在に移動シャーシ１６に支持されている。
【００２７】
また、第２のスライドシャーシ６２には、前述した鉛直片６５が係止している。このため、第２のスライドシャーシ６２は、鉛直片６５とともに、モータ２０の駆動力により、他端部１７ｂが複数のＣＤ２間から抜け出た状態の揺動シャーシ１７の長手方向に沿って移動する。
【００２８】
揺動アーム６３は、板金からなり、平板状に形成されている。揺動アーム６３の平面形状は、図３８ないし図４０に示すように、略く字状に形成されている。揺動アーム６３は、前述した移動シャーシ１６に中央部を中心として回転自在に支持されている。揺動アーム６３は、一端部が前述した第２のスライドシャーシ６２に連結している。揺動アーム６３は、他端部が揺動シャーシ１７に回転自在に連結している。揺動アーム６３は、第２のスライドシャーシ６２が前述した長手方向に沿ってスライドすると、中央部を中心として回転して、揺動シャーシ１７の一端部１７ａを中心として、該揺動シャーシ１７を揺動させる。
【００２９】
移動機構６０は、駆動源としてのモータ２０の駆動力により、第１のスライドシャーシ６１と第２のスライドシャーシ６２を移動させるとともに、揺動アーム６３を回転して、一端部１７ａを中心として揺動シャーシ１７を揺動させる。移動機構６０は、一端部１７ａを中心として揺動シャーシ１７を揺動することで、ホルダ１９に保持されたＣＤ２の情報記録面と対向する位置に後述の光ピックアップ７８を移動する。
【００３０】
ディスク再生部５は、機器本体３内に収容されており、図３８及び図４１に示すように、揺動シャーシ１７に設けられている（設置されている）。図４１ないし図４４に示すように、移動フレーム６６と、クランプ部６７と、ピックアップ移動部６８と、ピックアップ部６９と、ロック手段としての第１のロック部材８２と、ロック手段としての第２のロック部材８３と、クランプ規制解除部７１と、を備えている。
【００３１】
移動フレーム６６は、板金からなり平板状に形成されている。移動フレーム６６は、揺動シャーシ１７と、移動シャーシ１８との間に配されており、揺動シャーシ１７に重ねられている。移動フレーム６６は、ゴムやコイルばねなどによって、揺動シャーシ１７に対し移動自在に支持されている。このため、移動フレーム６６即ちクランプ部６７及びピックアップ部６９は、揺動シャーシ１７即ち機器本体３に対し移動自在に支持されている。
【００３２】
ＣＤチェンジャ１が、前記自動車などに取り付けられるため、該自動車の走行中の振動などによって、機器本体３が振動する。そして、移動フレーム６６即ちディスク再生部５は、前述したゴムやコイルばねなどによって、機器本体３に対し移動する。このように、移動フレーム６６がゴムやコイルばねなどにより機器本体３に対し移動自在に支持されることで、ディスク再生部５のピックアップ部６９がＣＤ２の情報を読み出す際の前述した振動による影響を抑制している。
【００３３】
クランプ部６７は、図４５に示すように、ターンテーブル７２と、スピンドルモータ７３と、可動部材７４と、突没部材としての複数のクランプ爪７５とを備えている。ターンテーブル７２は、揺動シャーシ１７の他端部１７ｂに配され、移動フレーム６６に回転自在に支持されている。ターンテーブル７２は、円板状に形成されており、表面７２ａ上にＣＤ２が置かれる。また、ターンテーブル７２は、孔７６が複数形成されている。孔７６は、勿論、ターンテーブル７２を貫通している。図示例では、孔７６は、三つ設けられている。これらの孔７６は、前記表面７２ａに対し直交しかつ前記ターンテーブル７２の中心を通る軸芯を中心として、周方向に沿って等間隔に配されている。
【００３４】
スピンドルモータ７３は、揺動シャーシ１７の他端部１７ｂに配され、移動フレーム６６とターンテーブル７２との間に設けられている。スピンドルモータ７３は、移動フレーム６６に固定されており、その出力軸がターンテーブル７２の中央に取り付けられている。スピンドルモータ７３は、ターンテーブル７２を前述した軸芯周りに回転する。
【００３５】
可動部材７４は、円環状に形成されている。可動部材７４は、内側にスピンドルモータ７３の出力軸を通し、スピンドルモータ７３とターンテーブル７２との間に配されている。可動部材７４は、ターンテーブル７２及びスピンドルモータ７３と同軸に配されている。可動部材７４は、前記軸芯に沿って移動自在に設けられている。このため、可動部材７４は、ターンテーブル７２の表面７２ａに対し直交する方向に沿って移動自在に設けられている。さらに、可動部材７４は、コイルばねなどにより、ターンテーブル７２に近づく方向に付勢されている。
【００３６】
クランプ爪７５は、図４５に示すように、側方からみて、く字状に形成されている。クランプ爪７５は、ターンテーブル７２と可動部材７４との間でかつ前記孔７６内に設けられている。このため、クランプ爪７５は、ターンテーブル７２と可動部材７４との間に配されている。
【００３７】
クランプ爪７５は、一端部が孔７６を通して前記表面７２ａから突出するクランプ位置（図４５などに示す）と、一端部が表面７２ａ下に没するアンクランプ位置（図４６などに示す）と、に亘って変位自在に、他端部がターンテーブル７２に回転自在に支持されている。
【００３８】
クランプ爪７５の一端部は、図４５に示すように、可動部材７４がターンテーブル７２に近づくと、表面７２ａから突出する。また、一端部は、図４６に示すように、可動部材７４がターンテーブル７２から離れると、クランプ爪７５自体の自重によって、下方に変位する。そして、一端部は、可動部材７４がターンテーブル７２から離れると、表面７２ａ下に没する。
【００３９】
クランプ爪７５の一端部は、ターンテーブル７２の表面７２ａから突出すると、ターンテーブル７２上のＣＤ２の中央孔内に突出して、ターンテーブル７２との間にＣＤ２を挟む。クランプ爪７５は、一端部がターンテーブル７２との間に挟むことで、ＣＤ２をクランプする。
【００４０】
ピックアップ移動部６８は、移動フレーム６６と、移動シャーシ１８との間に配されているとともに、移動フレーム６６上に設けられている。ピックアップ移動部６８は、図示しないモータと、ねじ軸７７などを備えている。モータは、揺動シャーシ１７の一端部１７ａに配され、移動フレーム６６に取り付けられている。モータの出力軸にはウォームが取り付けられている。このウォームは、ねじ軸７７に取り付けられたウォームホイールと噛み合っている。
【００４１】
ねじ軸７７は、移動フレーム６６にその軸芯周りに回転自在に支持されている。ねじ軸７７の長手方向は、揺動シャーシ１７の長手方向と平行である。ねじ軸７７は、モータと前述したウォームとウォームホイールなどにより、その軸芯周りに回転される。ピックアップ移動部６８は、ねじ軸７７を回転することで、ピックアップ部６９をねじ軸７７と揺動シャーシ１７の長手方向に沿ってスライドして、ターンテーブル７２に接離させる。なお、接離とは、互いに近づいたり離れたりすることである。
【００４２】
ピックアップ部６９は、再生手段としての光ピックアップ７８と、ピックアップケース７９とを備えている。光ピックアップ７８は、ターンテーブル７２に支持されたＣＤ２から情報を読み出す。ピックアップケース７９は、箱状に形成されており、光ピックアップ７８が出射する読取光（主ビーム）を通すことのできる窓８０と、ねじ軸７７に螺合するねじ孔とを備えている。ピックアップケース７９は、ねじ孔にねじ軸７７が螺合することで、ねじ軸７７が回転すると、該ねじ軸７７の長手方向に沿って移動する。
【００４３】
ピックアップ部６９は、ピックアップ移動部６８により、揺動シャーシ１７即ちねじ軸７７の長手方向に沿って移動し、ターンテーブル７２に接離する。ピックアップ部６９は、ターンテーブル７２に支持されたＣＤ２から情報を読み出す。
【００４４】
また、ピックアップケース７９即ちピックアップ部６９には、図４３に示すように、第１の侵入部８１が設けられている。第１の侵入部８１は、ピックアップケース７９からターンテーブル７２に向かって凸に形成されている。第１の侵入部８１は、ピックアップケース７９からターンテーブル７２に向かうにしたがって、徐々に薄くなるように形成されている。
【００４５】
第１の侵入部８１は、ピックアップケース７９即ちピックアップ部６９がターンテーブル７２に近づくと、ターンテーブル７２と可動部材７４との間に侵入可能である。第１の侵入部８１は、ピックアップケース７９即ちピックアップ部６９がターンテーブル７２に近づくと、ターンテーブル７２と可動部材７４との間に侵入して、前述したアンクランプ位置までターンテーブル７２から可動部材７４を離す。
【００４６】
前述した構成によって、ピックアップ部６９は、ターンテーブル７２に近づいて、前記第１の侵入部８１がターンテーブル７２と可動部材７４との間に侵入して、可動部材７４をターンテーブル７２から離す解除位置（図４２及び図４６に示す）と、該解除位置よりターンテーブル７２から離れて、第１の侵入部８１がターンテーブル７２と可動部材７４との間に侵入せずに、可動部材７４をターンテーブル７２に近づけた状態に保つ再生位置（図４１及び図４５などに示す）とに亘って、ターンテーブル７２に接離させる。
【００４７】
解除位置では、第１の侵入部８１即ちピックアップ部６９は、クランプ部６７を前述したアンクランプ状態に保ち、ターンテーブル７２のＣＤ２のクランプを解除する。再生位置では、第１の侵入部８１即ちピックアップ部６９は、クランプ部６７を前述したクランプ状態に保ち、ターンテーブル７２にＣＤ２をクランプさせて、該ＣＤ２の情報を読み出すことができる。
【００４８】
図３８ないし図４０に示すように、第１のロック部材８２及び第２のロック部材８３は、揺動シャーシ１７と、移動フレーム６６との間に配されている。第１のロック部材８２は、板金からなり屈曲した帯状の本体部８４と、係止爪８５とを一体に備えている。第１のロック部材８２は、本体部８４の長手方向が揺動シャーシ１７の長手方向と平行な状態で、揺動シャーシ１７に支持されている。また、第１のロック部材８２は、揺動シャーシ１７の長手方向に沿ってスライド自在に揺動シャーシ１７に支持されている。
【００４９】
係止爪８５は、本体部８４の揺動シャーシ１７の他端部１７ｂ寄りの一端部に設けられている。係止爪８５は、本体部８４から立設している。係止爪８５は、第１のロック部材８２がスライドすると、揺動シャーシ１７の他端部１７ｂ側の縁から突出するロック解除位置（図４０及び図４４に示す）と、揺動シャーシ１７の他端部１７ｂと重なるロック位置（図３８及び図４１などに示す）とに亘って、変位自在である。
【００５０】
また、係止爪８５の本体部８４寄りの縁部には、図４９及び図５０に示すように、前記ロック解除位置で移動フレーム６６と相対するとともに、前記ロック位置で移動フレーム６６を内側に位置付ける凹み８６が形成されている。凹み８６は、係止爪８５の本体部８４寄りの縁部を前記移動フレーム６６から離れる方向に凹に形成している。また、移動フレーム６６を移動自在に支持するゴムやコイルばねなどが弾性変形していない中立状態において、前記本体部８４と凹み８６との間隔は、前記本体部８４と移動フレーム６６との間隔より狭い。
【００５１】
第１のロック部材８２は、ロック位置で、移動フレーム６６を凹み８６内に位置付けて、係止爪８５が移動フレーム６６に係止する。第１のロック部材８２は、係止爪８５が移動フレーム６６に係止すると、該移動フレーム６６が揺動シャーシ１７即ち機器本体３に対し移動することを規制する。則ち、第１のロック部材８２は、ロック位置で、移動フレーム６６を揺動シャーシ１７に固定する。
【００５２】
第２のロック部材８３は、図３８ないし図４０に示すように、板金からなり帯状の本体部８７と、係止爪８８とを一体に備えている。第２のロック部材８３は、中央部を中心として回転自在に揺動シャーシ１７に支持されている。また、第２のロック部材８３の本体部８７の一端部は、第１のロック部材８２の他端部と回転自在に連結している。
【００５３】
係止爪８８は、本体部８７の他端部に設けられている。係止爪８８は、本体部８７から立設している。係止爪８８は、第２のロック部材８３が回転すると、揺動シャーシ１７の一端部１７ａ側の縁から突出するロック解除位置（図４０及び図４４に示す）と、揺動シャーシ１７の一端部１７ａと重なるロック位置（図３８及び図４１などに示す）とに亘って、変位自在である。
【００５４】
また、係止爪８８には、図５１及び図５２に示すように、前記ロック解除位置で移動フレーム６６と相対するとともに、前記ロック位置で移動フレーム６６を内側に位置付けるスリット８９が形成されている。スリット８９は、勿論、係止爪８８を貫通している。スリット８９は、係止爪８８を前記移動フレーム６６から離れる方向に凹に形成している。また、移動フレーム６６を移動自在に支持するゴムやコイルばねなどが弾性変形していない中立状態において、前記本体部８７とスリット８９との間隔は、前記本体部８７と移動フレーム６６との間隔より狭い。
【００５５】
第２のロック部材８３は、ロック位置で、移動フレーム６６をスリット８９内に位置付けて、係止爪８８が移動フレーム６６に係止する。第２のロック部材８３は、係止爪８８が移動フレーム６６に係止すると、該移動フレーム６６が揺動シャーシ１７即ち機器本体３に対し移動することを規制する。則ち、第２のロック部材８３は、ロック位置で、移動フレーム６６を揺動シャーシ１７に固定する。
【００５６】
前述した第１のロック部材８２と第２のロック部材８３とは、互いに回転自在に連結しているので、互いに連動して、前述したロック解除位置と、ロック位置とに亘って変位する。勿論、第１のロック部材８２がロック解除位置となると、第２のロック部材８３がロック解除位置になり、第１のロック部材８２がロック位置となると、第２のロック部材８３がロック位置になる。
【００５７】
さらに、第１のロック部材８２と、第２のロック部材８３とは、前述した第１及び第２のスライドシャーシ６１，６２のスライドにより、前述したロック位置とロック解除位置とに亘って変位する。このため、ロック部材８２，８３は、駆動源としてのモータ２０の駆動力により、揺動シャーシ１７の一端部１７ａを中心とした回転に連動して、前述したロック位置とロック解除位置とに亘って変位する。さらに、ロック部材８２，８３を変位させるための駆動源としてのモータ２０と、揺動シャーシ１７の一端部１７ａを中心として揺動シャーシ１７を回転させるための駆動源としてのモータ２０と同一である。
【００５８】
前述した構成のロック部材８２，８３は、係止爪８５，８８が移動フレーム６６に係止して、クランプ部６７を揺動シャーシ１７即ち機器本体３に対し固定するロック位置と、係止爪８５，８８の凹み８６及びスリット８９が移動フレーム６６と間隔をあけて相対して、クランプ部６７を揺動シャーシ１７即ち機器本体３に対し移動自在とするロック解除位置と、に亘って、変位自在である。これらのロック部材８２，８３は、ロック位置で移動フレーム６６の長手方向の両端に係止する。これらのロック部材８２，８３は、前記光ピックアップ７８が前記ホルダ１９に保持されたＣＤ２を再生する際にはロック解除位置に変位し、前記揺動シャーシ１７が前記一端部１７ａを中心として回転する際と前記分離機構７が前記ホルダ１９を矢印Ｋに沿って移動する際にはロック位置に変位する。
【００５９】
また、移動フレーム６６を移動自在に支持するゴムやコイルばねなどが弾性変形していない中立状態において、前記本体部８４，８７と凹み８６及びスリット８９との間隔が、前記本体部８４，８７と移動フレーム６６との間隔より狭い。このため、ロック部材８２，８３は、ロック解除位置からロック位置に変位する際に、前述したゴムやコイルばねなどの弾性復元力に抗して、移動フレーム６６を揺動シャーシ１７に押圧する。そして、ロック部材８２，８３は、ロック解除位置からロック位置に変位する際に、矢印Ｋに沿って、移動フレーム６６に揺動シャーシ１７に近づける。
【００６０】
クランプ規制解除部７１は、図４１ないし図４４に示すように、切欠き９０と、回動部材９１とを備えている。切欠き９０は、ピックアップケース７９即ちピックアップ部６９に設けられている。切欠き９０は、ピックアップケース７９即ちピックアップ部６９の揺動シャーシ１７の長手方向に沿ってターンテーブル７２寄りの端部と、ターンテーブル７２の周方向に沿ってターンテーブル７２寄りの内縁部とに亘って、ピックアップケース７９を切り欠いている。
【００６１】
回動部材９１は、棒状に形成されている。回動部材９１は、揺動シャーシ１７の他端部１７ｂに配されている。回動部材９１は、中央部を中心として移動フレーム６６に回動自在に支持されている。回動部材９１の一端部９１ａが切欠き９０内に侵入可能でかつ他端部９１ｂが第１のロック部材８２の係止爪８５に当接可能になっている。
【００６２】
回動部材９１は、移動フレーム６６などにより図４４に示す一端部９１ａが切欠き９０内に侵入した状態で、更に一端部９１ａがターンテーブル７２に近づく方向に回転することが規制されている。また、回動部材９１は、図４４に示す一端部９１ａが切欠き９０内に侵入した状態で、一端部９１ａがターンテーブル７２に近づく方向にばねなどにより付勢されている。
【００６３】
また、回動部材９１は、図４４に示す一端部９１ａが切欠き９０内に侵入した状態で、ピックアップケース７９などと当接して、ピックアップ部６９が前述した解除位置までターンテーブル７２に近づくことを規制する。さらに、回動部材９１は、図４４に示す状態から一端部９１ａがターンテーブル７２から離れる方向に回転して、図４１に示す一端部９１ａが切欠き９０内から抜け出た状態で、ピックアップ部６９が前述した解除位置までターンテーブル７２に近づくことを許容する。また、回動部材９１は、図４１に示す一端部９１ａが切欠き９０内から抜け出た状態で、他端部９１ｂに第１のロック部材８２の係止爪８５などに当接する。
【００６４】
さらに、回動部材９１の他端部９１ｂには、第２の侵入部９２が設けられている。第２の侵入部９２は、回動部材９１の他端部９１ｂからターンテーブル７２に向かって凸に形成されている。第２の侵入部９２は、図４５に示すように、回動部材９１の他端部９１ｂからターンテーブル７２に向かうにしたがって、徐々に薄くなるように形成されている。第２の侵入部９２は、回動部材９１の他端部９１ｂがターンテーブル７２に近づくと、ターンテーブル７２と可動部材７４との間に侵入可能である。第２の侵入部９２は、回動部材９１の他端部９１ｂがターンテーブル７２に近づくと、ターンテーブル７２と可動部材７４との間に侵入して、前述した第１の侵入部８１と共同して、アンクランプ位置までターンテーブル７２から可動部材７４を離す。
【００６５】
前述したクランプ規制解除部７１は、ロック部材８２，８３が前述したロック位置に位置すると、第１のロック部材８２の係止爪８５から他端部９１ｂが押圧されて、一端部９１ａが切欠き９０内から抜け出る方向に回動部材９１は回転する。そして、回動部材９１の一端部９１ａは、切欠き９０内から抜け出る。
【００６６】
このため、クランプ規制解除部７１は、ロック部材８２，８３が前述したロック位置に位置すると、ピックアップ部６９が前述した解除位置までターンテーブル７２に近づくことを許容する構成になっている。即ち、クランプ規制解除部７１は、ロック部材８２，８３が前述したロック位置に位置すると、前記クランプ部６７のクランプを解除することを許容する。
【００６７】
また、クランプ規制解除部７１は、ロック部材８２，８３が前述したロック解除位置に位置すると、第１のロック部材８２の係止爪８５が他端部９１ｂから離れて、前述したばねなどの付勢力により一端部９１ａが切欠き９０内に侵入した状態に保たれる。このため、クランプ規制解除部７１は、ロック部材８２，８３が前述したロック解除位置に位置すると、ピックアップ部６９が前述した解除位置までターンテーブル７２に近づくことを規制する構成になっている。即ち、クランプ規制解除部７１は、ロック部材８２，８３が前述したロック解除位置に位置すると、前記クランプ部６７のクランプを解除することを規制する。
【００６８】
ディスク再生部５は、揺動シャーシ１７の他端部１７ｂがＣＤ２間に侵入して、クランプ部６７のクランプ爪７５がＣＤ２をクランプするとともに、ターンテーブル７２がＣＤ２を回転する。ディスク再生部５は、ピックアップ部６９の光ピックアップ７８が、ターンテーブル７２により回転されたＣＤ２から情報を読み出す。
【００６９】
ディスク収容部６は、機器本体３内に収容されており、図３に示すように、複数の保持部材としてのホルダ１９を備えている。
【００７０】
ホルダ１９は、合成樹脂からなり、板状に形成されている。ホルダ１９の平面形状は、Ｃ字状に形成されている。ホルダ１９は、底板１１と移動シャーシ１８との双方と平行な状態で、移動シャーシ１８に支持されている。ホルダ１９は、そのＣ字状に形成された開口部が挿入口１０と相対する状態に配されている。
【００７１】
ホルダ１９は、挿入口１０を通して機器本体３に挿入されたＣＤ２が、開口部を通して内側に侵入することで、このＣＤ２を保持する。複数のホルダ１９は、各々が保持するＣＤ２の表面が互いに平行になるように、互いに重ねられて配されている。ホルダ１９は、前記矢印Ｋに沿って移動自在に移動シャーシ１８などに支持されている。各々のホルダ１９には、外方向に向かって突出した突起２９（図１５ないし図２９に示す）が設けられている。ディスク収容部６は、ＣＤ２を保持可能な複数のホルダ１９を積層配列して収容する。
【００７２】
分離機構７は、機器本体３内に収容されており、駆動源としてのモータ２０（図３に示す）と、離間溝拡縮機構２１（図６ないし図１０に示す）と、連動移動機構２２（図３０ないし図３７に示す）とを備えている。モータ２０は、図３に示すように、固定シャーシ９に固定されている。
【００７３】
離間溝拡縮機構２１は、図５に示すように、３つ設けられており、機器本体３の隅部に設けられている。離間溝拡縮機構２１は、図６ないし図１４に示すように、円柱状に形成されており、回転部材２５と、移動部材２６と、カム部材２４とを備えている。
【００７４】
回転部材２５は、図１２ないし図１４に示すように、互いに同軸に配された円板部９４と、円柱部９５とを一体に備えている。円板部９４は、円板状に形成され、固定シャーシ９の底板１１に軸芯周りに回転自在に支持されている。円柱部９５は、円柱状に形成されており、円板部９４から立設している。
【００７５】
回転部材２５の軸芯は、前述した矢印Ｋと平行に配されている。回転部材２５は、円板部９４の外縁部に設けられた歯が底板１１に回転自在に設けられた複数の歯車９３に噛み合っている。回転部材２５は、これらの歯車９３を介して、前述したモータ２０の出力軸に取り付けられたピニオンと接続している。回動部材２５は、モータ２０の駆動力により歯車９３とともに軸芯周りに回転される。回転部材２５がモータ２０の駆動力により軸芯周りに回転されることは、本明細書に記した回転部材２５がモータ２０の駆動力により移動されることを示している。回転部材２５は、移動部材２６とカム部材２４の各々を同軸的に配するとともに、移動部材２６とカム部材２４の各々を回転させる。
【００７６】
移動部材２６は、図１１ないし図１４に示すように、円管状に形成されており、回転部材２５の外周に取り付けられてこの回転部材２５と同軸に配されている。移動部材２６と回転部材２５とは、回転部材２５に設けられた突起９６と、移動部材２６に設けられたキー溝とからなるキーにより互いに取り付けられている。移動部材２６は、前述した矢印Ｋに沿って移動自在に回転部材２５に取り付けられている。移動部材２６は、カム部材２４とは独立して、矢印Ｋに沿って、移動可能である。さらに、移動部材２６の底板１１から離れた側の縁（上端）には、係止溝９７が設けられている。また、移動部材２６は、前述した回転部材２５と一体に（連動して）前述した軸芯周りに回転する。
【００７７】
また、前述した回転部材２５と移動部材２６には、図１５ないし図２９に示すように、第１壁としての前述の移動シャーシ１８が取り付けられているとともに、第２壁２７が設けられている。移動シャーシ１８と第２壁２７は、移動部材２６の軸芯方向の両縁に設けられており、矢印Ｋと平行な軸芯に沿って互いに間隔をあけて配されている。このため、移動シャーシ１８と第２壁２７は、移動部材２６の両縁から外周方向に突出している。
【００７８】
移動シャーシ１８は、移動部材２６の固定シャーシ９の底板１１から離れた側の縁に設けられた係止溝９７に係止して、取り付けられている。このことを、本発明では、第１壁としての移動シャーシ１８が移動部材２６の上端に設けられているという。このため、移動部材２６は、移動シャーシ１８と一体に（連動して）矢印Ｋに沿って移動する。また、移動シャーシ１８は、移動部材２６などが軸芯周りに回転することを許容する（妨げない）。移動シャーシ１８は、前述した矢印Ｋに対し直交する方向に沿った平板状に形成されている。
【００７９】
第２壁２７は、回転部材２５と移動部材２６とに亘って設けられている。回転部材２５では、第２壁２７は、図１１ないし図１４に示すように、円板部９４の外縁から立設しており、断面形状が回転部材２５の軸芯を中心とした円弧状に形成されている。このため、第２壁２７は、円板部９４の外周に配されている。
【００８０】
移動部材２６では、第２壁２７は、図１１ないし図１４に示すように、固定シャーシ９の底板１１寄りの縁（即ち、移動部材２６の下端）に設けられている。第２壁２７は、移動部材２６の外周に配され、移動部材２６と同軸に配されている。第２壁２７は、回転部材２５と移動部材２６とに亘って、面一に形成されている。第２壁２７は、移動部材２６から回転部材２５に向かうにしたがって、移動シャーシ１８から徐々に離れる方向に、前述した矢印Ｋとこの矢印Ｋに対し直交する方向との双方に交差した方向に延びている。
【００８１】
また、前述した移動シャーシ１８と第２壁２７との間において、矢印Ｋに沿って互いの間にカム部材２４の後述のくさび部３０が位置付けられていない部分では、前述した移動シャーシ１８と第２壁２７との間隔は、ホルダ１９の数と突起２９の矢印Ｋ方向の溝幅との績に等しい又は略等しい。
【００８２】
回転部材２５と移動部材２６は、前述した移動シャーシ１８と第２壁２７との間に、突起２９を位置付けて、前述したホルダ１９を保持する。また、回転部材２５と移動部材２６は、軸芯周りに回転することで、前述した移動シャーシ１８と第２壁２７との間で突起２９が後述の連結壁２８から接離するように矢印Ｋに対し交差する方向に沿って移動することを許容する。このため、カム部材２４と回転部材２５と移動部材２６は、モータ２０の駆動力により、後述の離間溝３９，４０の奥に向かって突起２９が侵入する方向に移動される。さらに、カム部材２４と回転部材２５と移動部材２６は、後述の収容位置で、すべてのホルダ１９の突起２９を、移動シャーシ１８と第２壁２７との間に位置付ける。
【００８３】
カム部材２４は、図１１ないし図１４に示すように、円管状に形成されており、移動部材２６の外周に取り付けられて、回転部材２５及び移動部材２６等と同軸に配されている。カム部材２４と移動部材２６とは、カム部材２４に設けられた突起９８と、移動部材２６に設けられた突起とからなるキーにより互いに取り付けられている。カム部材２４は、前述した矢印Ｋに沿って移動自在に移動部材２６に取り付けられている。また、カム部材２４は、前述した回転部材２５及び移動部材２６と一体（連動して）に前述した軸芯周りに回転する。
【００８４】
さらに、カム部材２４の底板１１から離れた側の縁に係止溝９９が設けられている。カム部材２４の係止溝９９には、前述の移動シャーシ１６が係止して、取り付けられている。このため、カム部材２４は、移動シャーシ１６即ち前述した光ピックアップ７８と一体に（連動して）矢印Ｋに沿って移動する。このため、カム部材２４は、矢印Ｋに沿って、移動可能である。また、移動シャーシ１６は、カム部材２４などが軸芯周りに回転することを許容する（妨げない）。
【００８５】
さらに、カム部材２４は、くさび部３０と、案内溝３１と、連結壁２８とを備えている。くさび部３０は、前述した移動シャーシ１８と、第２壁２７との間に位置しているとともに、連結壁２８と間隔をあけて配されている。このため、カム部材２４のくさび部３０は、前述した移動シャーシ１８と第２壁２７との間を矢印Ｋに沿って移動する。くさび部３０は、移動部材２６に向かうにしたがって、矢印Ｋに沿う溝幅が徐々に細くなるように形成されている。
【００８６】
案内溝３１は、くさび部３０に設けられている。案内溝３１は、カム部材２４のくさび部３０の外周面に形成されている。即ち、案内溝３１は、カム部材２４のくさび部３０の外周面から凹に形成されている。案内溝３１の矢印Ｋに沿う溝幅は、一つの突起２９の矢印Ｋに沿う幅と略等しい。案内溝３１は、図１５ないし図２９に示すように、連結壁２８に相対する開口部３２と、ローディング部３３と、ピックアップ侵入部３４と、第１連結部３５と、挟持部３６と、第２連結部３７と、再生部３８とを備えている。ローディング部３３と、ピックアップ侵入部３４と、挟持部３６と、再生部３８とは、矢印Ｋに対し直交する方向に沿って延びている。第１連結部３５と、第２連結部３７とは、矢印Ｋとこの矢印Ｋに対し直交する方向との双方に対し交差する方向に沿って延びている。
【００８７】
ローディング部３３は、開口部３２に連なり、この開口部３２の連結壁２８から離れた側に配されている。ピックアップ侵入部３４は、ローディング部３３に連なり、このローディング部３３の連結壁２８から離れた側に配されている。さらに、ピックアップ侵入部３４は、ローディング部３３より回転部材２５の第２壁２７から離れた側に配されている。
【００８８】
第１連結部３５は、ピックアップ侵入部３４に連なり、このピックアップ侵入部３４の連結壁２８から離れた側に配されている。第１連結部３５は、ピックアップ侵入部３４から離れるのにしたがって徐々に回転部材２５の第２壁２７に近づく方向に延びている。挟持部３６は、第１連結部３５に連なり、この第１連結部３５の連結壁２８から離れた側に配されている。第２連結部３７は、挟持部３６に連なり、この挟持部３６の連結壁２８から離れた側に配されている。第２連結部３７は、挟持部３６から離れるのにしたがって徐々に回転部材２５の第２壁２７に近づく方向に延びている。再生部３８は、第２連結部３７に連なり、この第２連結部３７の連結壁２８から離れた側に配されている。
【００８９】
案内溝３１は、開口部３２を通して、突起２９が侵入することを許容する。即ち、案内溝３１内には、突起２９即ちホルダ１９が摺動可能である。さらに、案内溝３１は、ローディング部３３と、ピックアップ侵入部３４と、第１連結部３５と、挟持部３６と、第２連結部３７と、再生部３８内に順に突起２９が移動することを許容する。
【００９０】
ローディング部３３内に位置付けられた突起２９を設けたホルダ１９は、挿入口１０と矢印Ｙに沿って相対する。そして、ローディング部３３内に位置付けられた突起２９を設けたホルダ１９は、挿入口１０を通して挿入されたＣＤ２を保持できるとともに、挿入口１０を通して保持したＣＤ２を機器本体３外に排出できる。
【００９１】
ピックアップ侵入部３４内に位置付けられた突起２９を設けたホルダ１９は、図２中下方に位置する他のホルダ１９から離れて、この図中下方に位置するホルダ１９との間に揺動シャーシ１７の他端部１７ｂ即ちディスク再生部５が侵入することを許容する。挟持部３６内に位置付けられた突起２９を設けたホルダ１９は、保持したＣＤ２をディスク再生部５のクランプ部６７がクランプすることを許容する。再生部３８内に位置付けられた突起２９を設けたホルダ１９は、クランプ部６７にクランプされたＣＤ２から離されて、ターンテーブル７２などにより回転されるＣＤ２に干渉（接触）しない。即ち、ＣＤ２が回転することを許容する。
【００９２】
連結壁２８は、前述した矢印Ｋに沿って直線状に延びている。連結壁２８は、くさび部３０に設けられた案内溝３１の開口部３２と矢印Ｋに対し直交する方向に沿って、間隔をあけて相対している。連結壁２８は、移動シャーシ１８と第２壁２７とを互いに連結する格好になっている。
【００９３】
こうして、カム部材２４は、一つのＣＤ２を保持するホルダ１９の突起２９が摺動可能に係合する案内溝３１を有している。
【００９４】
前述した構成の回転部材２５と、移動部材２６と、カム部材２４とは、図１１に示すように、互いに同軸に配されている。また、移動部材２６と、カム部材２４とは、図１１ないし図１３に示すように、互いに独立して、矢印Ｋに沿って移動可能である。
【００９５】
また、前述した移動シャーシ１８とカム部材２４のくさび部３０との間は、本明細書に記した第１離間溝３９をなしている。第１離間溝３９は、移動シャーシ１８と、カム部材２４のくさび部３０の底板１１から離れた側の上面部とで構成されている。第１離間溝３９は、案内溝３１に係合する一つのＣＤ２を保持するホルダ１９より上方（矢印Ｋ１側）に位置する他のホルダ１９と係合する。
【００９６】
さらに、前述した第２壁２７とカム部材２４のくさび部３０との間は、本明細書に記した第２離間溝４０をなしている。第２離間溝４０は、第２壁２７とカム部材２４のくさび部３０の底板１１寄りの下面部とで構成されている。第２離間溝４０は、案内溝３１に係合する一つのＣＤ２を保持するホルダ１９より下方（矢印Ｋ２側）に位置する他のホルダ１９と係合する。
【００９７】
第１離間溝３９と第２離間溝４０は、案内溝３１に係合する一つのＣＤ２を保持するホルダ１９の他のホルダ１９の突起２９が侵入することを許容する（他のホルダ１９が係合する）。第１離間溝３９と第２離間溝４０は、本明細書に記した離間溝をなしている。第１離間溝３９と第２離間溝４０即ち離間溝は、一つのＣＤ２を保持するホルダ１９の他のホルダ１９が摺動可能に係合するとともに、カム部材２４とスライド部材２６との相対的な移動により形成される。
【００９８】
第１離間溝３９と第２離間溝４０とは、カム部材２４と移動部材との相対的に矢印Ｋに沿って移動することで、互いに連動して矢印Ｋに沿った溝幅が可変する（拡がったり狭くなる）。カム部材２４が矢印Ｋに沿ってスライドした際に、第１離間溝３９の溝幅が拡がると第２離間溝４０の溝幅が狭くなり、第２離間溝４０の溝幅が拡がると第１離間溝３９の溝幅が狭くなる。
【００９９】
また、第１離間溝３９の溝幅と第２離間溝４０の溝幅との和は、ホルダ１９の数から１を引いて得られる数と一つの突起２９の矢印Ｋ方向の幅との績に等しい又は略等しい。前述した第１及び第２離間溝３９，４０即ち離間溝は、カム部材２４とスライド部材２６との相対的な移動により矢印Ｋに沿った溝幅が可変する。即ち、第１及び第２離間溝３９，４０は、カム部材２４とスライド部材２６との相対的な移動により矢印Ｋに沿った溝幅が相対的に可変する。
【０１００】
前述した構成によれば、移動シャーシ１８と第２壁２７との間に位置付けられたすべてのホルダ１９の突起２９は、モータ２０の駆動力が複数の歯車９３を介して伝達されて、回転部材２５と移動部材２６とカム部材２４とが一体に（連動して）回転（移動）することで、一つの突起２９が案内溝３１内に侵入する。残りの突起２９のうち案内溝３１に侵入した突起２９より矢印Ｋ１（図６などに示す）側に位置するホルダ１９の突起２９が第１離間溝３９内に侵入し、案内溝３１に侵入した突起２９より矢印Ｋ２（図６などに示す）側に位置するホルダ１９の突起２９が第２離間溝４０内に侵入する。なお、矢印Ｋ１は、前述した矢印Ｋの一方側をなしているとともに、矢印Ｋ２は、前述した矢印Ｋの他方側をなしている。
【０１０１】
すべてのホルダ１９の突起２９が、案内溝３１に侵入することなく連結壁２８に近づいて移動シャーシ１８と第２壁２７との間に位置する状態は、本明細書では、ホルダ１９が収容位置に位置するという。また、カム部材２４のくさび部３０が連結壁２８と間隔をあけているため、収容位置では、第１離間溝３９と第２離間溝４０とは、一体になっている。さらに、収容位置では、複数のホルダ１９が互いに近接する。
【０１０２】
突起２９が、案内溝３１の再生部３８内と、第１及び第２離間溝３９，４０の奥に侵入する状態は、本明細書では、ホルダ１９が再生位置に位置するという。再生位置では、カム部材２４のくさび部３０により、前記案内溝３１内に突起２９が侵入したホルダ１９は、収容位置より他のホルダ１９から離れる。再生位置では、情報を再生するＣＤ２を保持したホルダ１９が他のホルダ１９から離れるとともに、情報を再生するＣＤ２を保持したホルダ１９と他のホルダ１９との間に光ピックアップ７８が侵入可能になる。
【０１０３】
突起２９が、移動部材２６の第２壁２７と移動シャーシ１８との間に位置し、案内溝３１のローディング部３３内と、第１及び第２離間溝３９，４０に侵入した状態は、本明細書では、ホルダ１９がローディング位置に位置するという。
【０１０４】
また、前述した再生位置では、第１離間溝３９内に情報を再生するＣＤ２を保持したホルダ１９の矢印Ｋ１側のホルダ１９の突起２９が侵入する。第１離間溝３９は、前記矢印Ｋ１側のホルダ１９を、情報を再生するＣＤ２を保持したホルダ１９から離す。
【０１０５】
さらに、再生位置とローディング位置では、第２離間溝４０内に情報を再生するＣＤ２を保持したホルダ１９の矢印Ｋ２側のホルダ１９の突起２９が侵入する。第２離間溝４０は、前記矢印Ｋ２側のホルダ１９を、情報を再生するＣＤ２を保持したホルダ１９から離す。
【０１０６】
連動移動機構２２は、図３０などに示すように、モータ４１（図３に示す）と、駆動シャーシ４２（図３及び図４に示す）と、第２駆動シャーシ５３（図３及び図４に示す）と、第１突起４３と、第１孔４４と、第２突起４５と、第２孔４６とを備えている。なお、図３には、駆動シャーシ４２と第２駆動シャーシ５３を２つずつ示しているが、実際には、駆動シャーシ４２と第２駆動シャーシ５３は一つずつ設けられている。
【０１０７】
連動移動機構２２は、ディスク収容部６のホルダ１９を収容位置と再生位置とに亘って移動させる際には、移動部材２６を、回転部材２５に対し矢印Ｋに沿って移動して、回転部材２５の第２壁２７から最も遠ざけておく。そして、連動移動機構２２は、再生位置に位置付けるＣＤ２を保持したホルダ１９の突起２９が案内溝３１に侵入できる位置に、カム部材２４を位置付ける。
【０１０８】
連動移動機構２２は、ディスク収容部６のホルダ１９を再生位置とローディング位置とに亘って移動させる即ちＣＤ２を機器本体３内に出し入れする際には、カム部材２４を、移動部材２６に対し矢印Ｋに沿って移動して、回転部材２５の第２壁２７に最も近づけておく。そして、連動移動機構２２は、ローディング位置に位置付けられた即ち出し入れされたＣＤ２を保持するホルダ１９の突起２９が案内溝３１に侵入できる位置に、移動部材２６を位置付ける。連動移動機構２２は、モータ４１の駆動力により、前述したように、カム部材２４即ちディスク再生部５の移動シャーシ１６と、移動部材２６即ちディスク収容部６の移動シャーシ１８とを連動して、矢印Ｋに沿って移動する。
【０１０９】
モータ４１は、固定シャーシ９の底板１１などに取り付けられている。駆動シャーシ４２は、板金からなり、板状に形成されている。駆動シャーシ４２の平面形状は、矩形状に形成されている。駆動シャーシ４２は、機器本体３の固定シャーシ９の周板１２に、矢印Ｋに対し直交（交差）する方向に沿って移動自在に支持されている。
【０１１０】
第２駆動シャーシ５３は、板金からなり、板状に形成されている。第２駆動シャーシ５３の平面形状は、矩形状に形成されている。第２駆動シャーシ５３は、機器本体３の固定シャーシ９の周板１２に、矢印Ｋに対し直交（交差）する方向に沿って移動自在に支持されている。第２駆動シャーシ５３には、モータ４１の駆動力により回転される歯車４８と噛み合ったラック４７が形成されている。
【０１１１】
第１突起４３は、ディスク収容部６の移動シャーシ１８から駆動シャーシ４２と第２駆動シャーシ５３に向かって突出している。第１孔４４は、駆動シャーシ４２と第２駆動シャーシ５３に設けられている。勿論、第１孔４４は、駆動シャーシ４２と第２駆動シャーシ５３を貫通している。第１孔４４には、図４に示すように、第１突起４３が侵入する。
【０１１２】
第１孔４４は、図３０ないし図３７に示すように、第１平行部４９と第１傾斜部５０とを備えている、第１平行部４９は、前述した矢印Ｋに対し直交する方向に沿って直線状に延びている。第１傾斜部５０は、第１平行部４９の端に連なりかつ前述した矢印Ｋと該矢印Ｋに対し直交する方向との双方に対し交差する方向に沿って直線状に延びている。第１傾斜部５０は、第１平行部４９から離れるにしたがって徐々に回転部材２５の第２壁２７に近づく方向に傾斜している。
【０１１３】
第２突起４５は、ディスク再生部５の移動シャーシ１６から駆動シャーシ４２に向かって突出している。第２孔４６は、駆動シャーシ４２に設けられている。勿論、第２孔４６は、駆動シャーシ４２を貫通している。第２孔４６には、第２突起４５が侵入する。
【０１１４】
第２孔４６は、第２傾斜部５１と第２平行部５２とを備えている、第２傾斜部５１は、前述した矢印Ｋと該矢印Ｋに対し直交する方向との双方に対し交差する方向に沿って直線状に延びている。第２傾斜部５１は、第２平行部５２から離れるにしたがって、徐々に回転部材２５の第２壁２７から離れる方向に傾斜している。第２傾斜部５１は、第１傾斜部５０と平行である。第２平行部５２は、第２傾斜部５１の端に連なりかつ前述した矢印Ｋに対し直交する方向に沿って直線状に延びている。
【０１１５】
第１突起４３が第１傾斜部５０内に位置付けられると、第２突起４５が第２平行部５２内に位置付けられる。第１突起４３が第１平行部４９内に位置付けられると、第２突起４５が第２傾斜部５１内に位置付けられる。
【０１１６】
前述した連動移動機構２２は、モータ４１の駆動力により、第２駆動シャーシ５３を矢印Ｋに対し直交する方向に沿って移動する。すると、第２駆動シャーシ５３の第１の孔４４内を第１突起４３が移動して、移動シャーシ１８が第２駆動シャーシ５３に対し矢印Ｋに沿って移動する。そして、駆動シャーシ４３の第１の孔４４内を第１突起４３が移動して、駆動シャーシ４３が矢印Ｋに対し直交する方向に沿って移動する。
【０１１７】
このように、駆動シャーシ４２は、モータ４１の駆動力により、第２駆動シャーシ５３が矢印Ｋに対し直交する方向に沿ってスライドすることで、矢印Ｋに対し直交する方向に沿ってスライドする。即ち、駆動シャーシ４２は、モータ４１の駆動力により、矢印Ｋに対し交差（直交）する方向に沿って固定シャーシ９の周板１２に対し移動される。このため、連動移動機構２２即ち分離機構７は、カム部材２４と移動部材２６との各々を矢印Ｋに沿って駆動（移動）する単一のモータ４１を備えている。
【０１１８】
連動移動機構２２は、モータ４１の駆動力により、ホルダ１９をローディング位置に位置付ける際即ちＣＤ２を機器本体３内に出し入れする際には、第２突起４５が第２平行部５２内を移動し、第１突起４３が第１傾斜部５０内を移動する位置に駆動シャーシ４２を位置付ける。前述した連動移動機構２２は、モータ４１の駆動力により、ホルダ１９を再生位置と収容位置とに亘って移動する際には、第２突起４５が第２傾斜部５１内を移動し、第１突起４３が第１平行部４９内を移動する位置に駆動シャーシ４２を位置付ける。
【０１１９】
なお、連動移動機構２２により、第２突起４５が第２平行部５２内に位置付けられると、カム部材２４が最も回転部材２５の第２壁２７に近づく。最も回転部材２５の第２壁２７に近づいたカム部材２４の案内溝３１のローディング部３３内に突起２９が位置付けられたホルダ１９は、前述した挿入口１０を通して出し入れされるＣＤ２を保持できる位置に位置付けられる。
【０１２０】
前述した構成のＣＤチェンジャ１は、機器本体３内に収容した複数のＣＤ２のうち前述した操作部などにより任意に選択された一つのＣＤ２の情報を読み出す際には、図１５に示すように、モータ２０の駆動力によりすべてのホルダ１９の突起２９を連結壁２８に接触させておく。
【０１２１】
さらに、駆動源としてのモータ２０の駆動力により、鉛直片６５を最もモータ２０寄りに位置するように、第１及び第２のスライドシャーシ６１，６２を位置付ける。そして、図３８に示すように、揺動シャーシ１７の他端部１７ｂ即ちディスク再生部５のクランプ部６７とピックアップ部６９などを、複数のＣＤ２間から退避させておく。さらに、図４１に示すように、第１及び第２のロック部材８２，８３を前述したロック位置に位置付けておく。即ち、図４９及び図５１に示すように、係止爪８５，８８で移動フレーム６６を係止させて、移動フレーム６６即ちクランプ部６７とピックアップ部６９などを揺動シャーシ１７即ち機器本体３に対し固定しておく。
【０１２２】
さらに、図４５に示すように、ピックアップ部６９を再生位置に位置付けて、第１及び第２の侵入部８１，９２をターンテーブル７２と可動部材７４との間から退避させておく。さらに、モータ２０の駆動力によりすべてのホルダ１９の突起２９を連結壁２８に接触させておく。
【０１２３】
また、モータ４１の駆動力により、図３０に示すように、第１突起４３が第１孔４４の第１平行部４９内に位置する位置に駆動シャーシ４２を位置付ける。そして、図１５に示すように、移動部材２６に取り付けられた移動シャーシ１８を回転部材２５の第２壁２７から最も遠ざけておく。
【０１２４】
そして、モータ４１の駆動力により、図３１に示すように、第２突起４５が第２孔４６の第２傾斜部５１内を移動して、情報が読み出される任意に選択された一つのＣＤ２を保持したホルダ１９の突起２９が案内溝３１に矢印Ｋに対し直交する方向に沿って相対する位置に、駆動シャーシ４２を位置付ける。そして、図７及び図１６に示すように、カム部材２４の案内溝３１を、矢印Ｋに対し直交する方向に沿って、情報が読み出される任意に選択された一つのＣＤ２を保持したホルダ１９の突起２９と相対させる。なお、図７及び図１６では、図中上から四つ目のホルダ１９の突起２９とカム部材２４に設けられた案内溝３１とを相対させている。
【０１２５】
そして、駆動源としてのモータ２０の駆動力により、回転部材２５と移動部材２６及びカム部材２４を一体に回転させるとともに、鉛直片６５が徐々にモータ２０から離れる方向に第１及び第２のスライドシャーシ６１，６２が移動する。そして、すべてのホルダ１９の突起２９が、連結壁２８から徐々に離れる。すると、図１７に示すように、情報が読み出される任意に選択された一つのＣＤ２を保持したホルダ１９の突起２９が、案内溝３１の開口部３２に侵入する。さらに、他のＣＤ２を保持したホルダ１９の突起２９が、カム部材２４のくさび部３０に接触するとともに、くさび部３０などにより、第１及び第２離間溝３９，４０内を移動する。
【０１２６】
さらに、駆動源としてのモータ２０の駆動力により、回転部材２５と移動部材２６及びカム部材２４を一体に回転させると、図１８に示すように、情報が読み出される任意に選択された一つのＣＤ２を保持したホルダ１９の突起２９がローディング部３３内に位置する。
【０１２７】
その後、図１９に示すように、前述した一つのＣＤ２を保持したホルダ１９の突起２９が案内溝３１のピックアップ侵入部３４内に位置する。また、このとき、鉛直片６５がモータ２０から徐々に離れる方向に第１及び第２のスライドシャーシ６１，６２が移動しているので、揺動シャーシ１７が、図３９に示すように、一端部１７ａを中心として回転する。そして、図５３に示すように、他端部１７ｂ即ちクランプ部６７などが前述した一つのＣＤ２と他のＣＤ２との間に侵入する。
【０１２８】
そして、前述した一つのＣＤ２を保持したホルダ１９の突起２９が、第１連結部３５内を通り、図２０に示すように、挟持部３６内に位置する。このとき、ピックアップ移動部６８のモータの駆動力により、図４２に示すように、ピックアップ部６９を解除位置までターンテーブル７２に近づける。すると、図４６に示すように、第１の侵入部８１がターンテーブル７２と可動部材７４との間に侵入するとともに、ピックアップケース７９の端部に一端部９１ａが押されて回動部材９１の他端部９１ｂに設けられた第２の侵入部９２がターンテーブル７２と可動部材７４との間に侵入する。そして、クランプ部６７を、アンクランプ位置に位置付ける。そして、ターンテーブル７２の表面７２ａ上にＣＤ２が重ねられる。
【０１２９】
その後、ピックアップ移動部６８のモータの駆動力により、図４３に示すように。ピックアップ部６９をターンテーブル７２から離して、再生位置に位置付ける。すると、図４７に示すように、第１及び第２の侵入部８１，９２がターンテーブル７２と可動部材７４との間にから抜け出て、クランプ爪７５の一端部がターンテーブル７２の表面７２ａ上に突出する。そして、クランプ部６７を、クランプ位置に位置付ける。そして、ターンテーブル７２の表面７２ａ上にＣＤ２にクランプ爪７５が係止して、図５４に示すように、クランプ部６７がＣＤ２をクランプする。そして、前述した一つのＣＤ２を保持したホルダ１９の突起２９が、第２連結部３７内を通り、図８及び図２１に示すように、再生部３８内に位置する。
【０１３０】
さらに、前述した一つのＣＤ２の矢印Ｋ１側に位置するＣＤ２を保持したホルダ１９の突起２９が、カム部材２４のくさび部３０により第１離間溝３９の奥即ち連結壁２８から離れた側に移動する。さらに、前述した一つのＣＤ２の矢印Ｋ２側に位置するＣＤ２を保持したホルダ１９の突起２９が、カム部材２４のくさび部３０により第２離間溝４０の奥即ち連結壁２８から離れた側に移動する。
【０１３１】
そして、図８及び図２１に示すように、カム部材２４のくさび部３０に設けられた案内溝３１により、前述した一つのＣＤ２を保持したホルダ１９が位置決めされる。さらに、カム部材２４のくさび部３０と、移動シャーシ１８及び第２壁２７とにより即ち第１及び第２離間溝３９，４０により、前述した一つのＣＤ２を保持したホルダ１９を他のホルダ１９から離す。さらに、他のホルダ１９を、第１及び第２離間溝３９，４０により、位置決めする。
【０１３２】
さらに、図５５に示すように、前述した一つのＣＤ２を保持したホルダ１９の突起２９が再生部３８内に位置すると、該ホルダ１９が、ディスク再生部５のターンテーブルによりクランプされたＣＤ２から遠ざけられる。そして、ホルダ１９にＣＤ２の回転が妨げられることが防止される。
【０１３３】
さらに、モータ２０の駆動力により、鉛直片６５がモータ２０から離れる方向に移動して、図４０に示すように、第１及び第２のロック部材８２，８３がロック位置からロック解除位置に変位する。そして、図５０及び図５２に示すように、係止爪８５，８８による係止が解除されて、移動フレーム６６即ちクランプ部６７及びピックアップ部６９などが揺動シャーシ１７即ち機器本体３に対し移動自在になる。すると、図４４に示すように、係止爪８５が回動部材９１の他端部９１ｂに当接しなくなり、図４８に示すように、クランプ部６７が前述したクランプ位置に保たれる。さらに、前述した移動フレーム６６を揺動シャーシ１７に対し移動自在に支持するゴムやコイルばねの弾性復元力により、移動フレーム６６が揺動シャーシ１７から矢印Ｋに沿って離れる。
【０１３４】
そして、スピンドルモータ７３が、ターンテーブル７２とともにＣＤ２を回転するとともに、ピックアップ部６９の光ピックアップ７８がＣＤ２の所望の位置から情報を読み出す。前述した一つのＣＤ２からの情報の読み出しを停止する際には、駆動源としてのモータ２０の駆動力により、回転部材２５と移動部材２６及びカム部材２４などを先ほどと逆向きに回転するとともに、鉛直片６５がモータ２０に近づく方向に第１のスライドシャーシ６１などをスライドする。
【０１３５】
まず、最初に、鉛直片６５がモータ２０に近づく方向に第１のスライドシャーシ６１などをスライドさせて、ロック部材８２，８３がロック解除位置からロック位置に変位する。そして、ロック部材８２，８３が、移動フレーム６６を揺動シャーシ１７に向かって矢印Ｋに沿って近付けて、前述したロック位置に位置付けられる。そして、クランプ部６７のクランプを解除して、一端部１７ａを中心として揺動シャーシ１７が回転して、他端部１７ｂ則ちディスク再生部５などがＣＤ２間から抜け出る。そして、前述した回転部材２５と移動部材２６及びカム部材２４などを先ほどと逆向きに回転する。
【０１３６】
前述したように、分離機構７は、カム部材２４を矢印Ｋに沿って移動して、第１離間溝３９の溝幅と第２離間溝４０の溝幅とを連動して拡縮することで、所望のＣＤ２を保持したホルダ１９を位置決めするとともに他のホルダ１９から離す。このように、分離機構７は、一つのＣＤ２を保持したホルダ１９と他のホルダ１９とを、矢印Ｋに沿って、離間する。
【０１３７】
例えば、図２２に示すように、図中下から二番目のＣＤ２を保持したホルダ１９を再生位置に位置付ける際や、図２３に示すように、図中上から二番目のＣＤ２を保持したホルダ１９を再生位置に位置付ける際も同様である。なお、図２２及び図２３に示す状態では、図３２及び図３３に示すように、第１突起４３が第１平行部４９内に位置するとともに、第２突起４５が第２傾斜部５１内に位置する。
【０１３８】
また、ＣＤ２の再生中則ちスピンドルモータ７３などによるＣＤ２の回転中には、ロック部材８２，８３が前述したロック解除位置に保たれる。また、揺動シャーシ１７を一端部１７ａを中心として回転する際には、ロック部材８２，８３が前述したロック位置に保たれる。
【０１３９】
また、前述した構成のＣＤチェンジャ１は、操作部などに命令により、機器本体３内に収容した複数のＣＤ２のうち任意に選択された一つのＣＤ２を機器本体３外に排出したり、ＣＤ２を機器本体３内に挿入して任意に選択された一つのホルダ１９に保持させる際には、図６、図９及び図２４に示すように、駆動源としてのモータ２０の駆動力によりすべてのホルダ１９の突起２９を連結壁２８に接触させておく。さらに、ディスク再生部５の揺動シャーシ１７の他端部１７ｂ即ちクランプ部６７とピックアップ部６９などを複数のＣＤ２間から退避させておく。
【０１４０】
また、図３４に示すように、モータ４１の駆動力により第２突起４５が第２孔４６の第２平行部５２内に位置する位置に駆動シャーシ４２を位置付ける。そして、図６、図９及び図２４に示すように、カム部材２４を回転部材２５の第２壁２７に最も近づけておく。
【０１４１】
そして、モータ４１の駆動力により、図３５に示すように、第１突起４３が第１孔４４の第１傾斜部５０内を移動して、機器本体３内に挿入されたＣＤ２を保持する又は保持したＣＤ２を機器本体３外に排出する一つのホルダ１９の突起２９が案内溝３１に矢印Ｋに対し直交する方向に沿って相対する位置に、駆動シャーシ４２を位置付ける。
【０１４２】
そして、図６、図９及び図２５に示すように、カム部材２４の案内溝３１を、矢印Ｋに対し直交する方向に沿って、前述した一つのホルダ１９の突起２９と相対させる。なお、図６、図９及び図２５では、図中上から四つ目のホルダ１９の突起２９とカム部材２４に設けられた案内溝３１とを相対させている。
【０１４３】
そして、駆動源としてのモータ２０の駆動力により、回転部材２５と移動部材２６及びカム部材２４を一体に回転させる。そして、すべてのホルダ１９の突起２９が、連結壁２８から徐々に離れる。すると、図２６に示すように、前述した一つのホルダ１９の突起２９が、案内溝３１の開口部３２に侵入する。さらに、前述した他のホルダ１９の突起２９が、カム部材２４のくさび部３０に接触するとともに、くさび部３０などにより、第１及び第２離間溝３９，４０内を移動する。
【０１４４】
さらに、モータ２０の駆動力により、回転部材２５と移動部材２６及びカム部材２４を一体に回転させると、図１０及び図２７に示すように、前述した一つのホルダ１９の突起２９が、案内溝３１のローディング部３３内に位置する。さらに、前述した他のホルダ１９の突起２９が、カム部材２４のくさび部３０により第１離間溝３９及び第２離間溝４０の奥即ち連結壁２８から離れた側に移動する。
【０１４５】
そして、図１０及び図２７に示すように、カム部材２４のくさび部３０に設けられた案内溝３１により、前述した一つのホルダ１９がローディング位置に位置決めされる。さらに、カム部材２４のくさび部３０と移動シャーシ１８及び第２壁２７とにより即ち第１及び第２離間溝３９，４０により、前述した一つのホルダ１９を他のホルダ１９から離す。さらに、第１及び第２離間溝３９，４０により、他のホルダ１９を位置決めする。
【０１４６】
そして、モータ４１の駆動力によりローラ１４がＣＤ２を出し入れする方向に応じて回転する。ローラ１４が回転することで、挿入口１０を通して機器本体３内にＣＤ２の出し入れが行われる。前述したＣＤ２の出し入れを停止する際には、ローラ１４の回転を停止するとともに、モータ２０の駆動力により、回転部材２５と移動部材２６及びカム部材２４を先ほどと逆向きに回転する。
【０１４７】
前述したように、カム部材２４を矢印Ｋに沿って移動することで、第１離間溝３９の溝幅と第２離間溝４０の溝幅とを連動して拡縮することで、所望のホルダ１９をローディング位置に位置決めするとともに他のホルダ１９から離す。例えば、図２８に示すように、図中上から二番目のホルダ１９をローディング位置に位置付ける際や、図２９に示すように、図中下から二番目のホルダ１９をローディング位置に位置付ける際も同様である。なお、図２８及び図２９に示す状態では、図３６及び図３７に示すように、第２突起４５が第２平行部５２内に位置するとともに、第１突起４３が、第１傾斜部５０内に位置する。
【０１４８】
さらに、前述したように、ＣＤ２を機器本体３内に出し入れする際には、揺動シャーシ１７の他端部１７ｂが複数のＣＤ２間則ち複数のホルダ１９間から退避しており、ロック部材８２，８３が前述したロック位置に保たれている。
【０１４９】
本実施例によれば、ロック位置からロック解除位置にロック部材８２，８３が変位する際に、矢印Ｋに沿って、移動フレーム６６を揺動シャーシ１７に近づける。このため、揺動シャーシ１７と移動フレーム６６とを合わせたもののロック位置の厚みは、ロック解除位置の厚みより薄い。このため、揺動シャーシ１７を回転する際の揺動シャーシ１７と移動フレーム６６とを合わせたものの軌跡を小さくできる。
【０１５０】
また、分離機構７がホルダ１９を移動する際に揺動シャーシ１７と移動フレーム６６とを合わせたものを小型化できる。このため、揺動シャーシ１７と移動フレーム６６とを合わせたものの近傍まで各種の電気部品を配置することができる。したがって、小型化することを可能とするとともに、より多くのＣＤ２を収容することが可能になる。
【０１５１】
ロック部材８２，８３が、本体部８４，８７と、係止爪８５，８８とを備え、本体部８４，８７が揺動シャーシ１７に対し移動することで、係止爪８５，８８が移動フレーム６６に係止・離脱する。このため、ロック部材８２，８３は、確実にロック位置とロック解除位置とに亘って変位できる。
【０１５２】
ロック部材８２，８３が複数設けられているので、ロック位置で移動フレーム６６を確実に揺動シャーシ１７に固定できる。また、複数のロック部材８２，８３は、移動フレーム６６の互いに離れた位置としての長手方向の両端に係止している。このため、ロック部材８２，８３は、ロック位置で移動フレーム６６をより確実に揺動シャーシ１７に固定できる。
【０１５３】
揺動シャーシ１７の回転に連動して、ロック部材８２，８３がロック位置とロック解除位置とに亘って変位する。このため、揺動シャーシ１７が、一つのホルダ１９と他のホルダ１９との間に侵入するとロック部材８２，８３をロック解除位置にすることができ、一つのホルダ１９と他のホルダ１９との間から離脱するとロック部材８２，８３をロック位置にすることができる。
【０１５４】
揺動シャーシ１７を回転するためと、ロック部材８２，８３を変位させるために共通のモータ２０を用いている。このため、部品点数を削減でき、小型化と低コスト化を図ることができる。
【０１５５】
任意に選択されたＣＤ２を保持したホルダ１９の突起２９を案内溝３１に係合させる。選択されたホルダ１９の矢印Ｋ１側（上方）の他のホルダ１９の突起２９を第１離間溝３９に係合させ、かつ矢印Ｋ２側（下方）の他のホルダ１９の突起２９を第２離間溝４０に係合させる。こうして、突起２９を案内溝３１と第１離間溝３９と第２離間溝４０に係合させて、選択されたＣＤ２を他のＣＤ２から離して、選択されたＣＤ２から情報を読み出す。
【０１５６】
また、離間溝拡縮機構２１により、第１及び第２離間溝３９，４０の溝幅が互いに連動して（相対的に）変化するとともに、第１離間溝３９の溝幅と第２離間溝４０の溝幅の和がホルダ１９の数から１を引いて得られた数と突起２９の幅との績に略等しい。このため、がたつくことなく、前述した選択されたＣＤ２を保持したホルダ１９と、他のホルダ１９を位置決めできる。
【０１５７】
このため、コイルばねを設けることなく、離間溝拡縮機構２１が第１及び第２離間溝３９，４０の溝幅を連動して（相対的に）変化することで、選択された任意のＣＤ２を保持したホルダ１９を、他のホルダ１９から離すことができる。これにより、ＣＤチェンジャ１が自動車などに搭載されて、走行中などの振動が作用しても、ホルダ１９が振動することを防止できる。したがって、確実に任意に選択されたＣＤ２を保持したホルダ１９を確実に再生位置に位置付けることができる。自動車などに搭載されて、走行中などの振動が作用しても、任意に選択されたＣＤ２の情報を確実に再生することができる。
【０１５８】
離間溝拡縮機構２１が、移動部材２６と、この移動部材２６に矢印Ｋに沿って移動自在に設けられたカム部材２４とを備えている。移動部材２６に取り付けられた移動シャーシ１８とカム部材２４のくさび部３０との間が第１離間溝３９を形成し、移動部材２６の第２壁２７とカム部材２４のくさび部３０との間が第２離間溝４０を形成し、カム部材２４のくさび部３０に案内溝３１が形成されている。
【０１５９】
このため、カム部材２４を矢印Ｋに沿ってスライドすることで、第１及び第２離間溝３９，４０の溝幅を確実に連動して（相対的に）変化できる。さらに、任意に選択された情報が再生されるＣＤ２を保持したホルダ１９の位置に応じて、カム部材２４がスライドする。したがって、確実に任意に選択されたＣＤ２を保持したホルダ１９を確実に再生位置に位置付けることができる。
【０１６０】
カム部材２４と光ピックアップ７８とが一体に（連動して）移動するので、カム部材２４と光ピックアップ７８との相対的な位置が常に一定に保たれる。このため、カム部材２４に設けられた案内溝３１により再生位置に位置決めされたホルダ１９に保持されたＣＤ２から光ピックアップ７８で情報を確実に再生することができる。
【０１６１】
ＣＤ２から情報を読み出す際には、移動部材２６を矢印Ｋ１側に移動させて、選択された情報を再生するＣＤ２を保持したホルダ１９の位置に応じて、カム部材２４をスライドさせる。このため、ＣＤ２から情報を読み出す際には、任意のＣＤ２を再生位置に位置付けることができる。したがって、任意のＣＤ２から情報を読み出して再生できる。
【０１６２】
また、ＣＤ２を出し入れする際には、カム部材２４を矢印Ｋ２側に移動させて、このカム部材２４の位置と出し入れするＣＤ２に対応したホルダ１９の位置に応じて、移動部材２６をスライドさせる。このため、機器本体３に出し入れされるＣＤ２を保持する又は保持したホルダ１９と機器本体３との相対的な位置を一定に保つことができる。このため、ＣＤ２を挿入口１０内を通して確実に出し入れすることができるとともに、機器本体３内に挿入されたＣＤ２をホルダ１９に確実に保持できる。
【０１６３】
また、連動移動機構２２により、ホルダ１９を収容位置と再生位置とに亘って移動することと、ホルダ１９をローディング位置に位置決めすることを一連の動作で行うことができる。このため、部品点数の削減とコストの低減を図ることができる。さらに、ホルダ１９を収容位置と再生位置とに亘って移動する状態とＣＤ２を出し入れする状態とをスムーズに切り換えることができる。
【０１６４】
連動移動機構２２が、第１孔４４と第２孔４６が設けられた駆動シャーシ４２と、ディスク収容部６の移動シャーシ１８に設けられた第１突起４３と、ディスク再生部５の移動シャーシ１６に設けられた第２突起４５とを備えている。第１孔４４は、第１傾斜部５０と第１平行部４９とからなり、第２孔４６は、第２傾斜部５１と第２平行部５２とからなる。
【０１６５】
ＣＤ２を出し入れする際には、第２突起４５が第２平行部５２内を移動し、第１突起４３が第１傾斜部５０内を移動する。これにより、ＣＤ２を出し入れする際には、ディスク再生部５の移動シャーシ１８即ちカム部材２４が、スライドせずに、位置決めされる。さらに、ＣＤ２を出し入れする際には、ディスク収容部６の移動シャーシ１８と移動部材２６即ちホルダ１９が、矢印Ｋに沿って移動する。
【０１６６】
このため、機器本体３に出し入れされるＣＤ２を保持する又は保持したホルダ１９と機器本体３との相対的な位置を一定に保つことができる。したがって、挿入口１０内を通して、ＣＤ２を確実に出し入れすることができるとともに、機器本体３内に挿入したＣＤ２をホルダ１９に確実に保持できる。
【０１６７】
ホルダ１９を収容位置と再生位置とに亘って移動する際には、第１突起４３が第１平行部４９内を移動し、第２突起４５が第２傾斜部５１内を移動する。これにより、ホルダ１９を収容位置と再生位置とに亘って移動する際には、ディスク収容部６の移動シャーシ１８と移動部材２６即ちホルダ１９を、スライドせずに位置決めできる。さらに、ホルダ１９を収容位置と再生位置とに亘って移動する際には、ディスク再生部５の移動シャーシ１６即ちカム部材２４が、矢印Ｋに沿って移動する。
【０１６８】
このため、ＣＤ２から情報を読み出す際には、任意のＣＤ２を再生位置に確実に位置決めすることができる。したがって、任意のＣＤ２から情報を読み出して再生できる。
【０１６９】
移動部材２６が円柱状に形成され、カム部材２４が円管状に形成されている。移動シャーシ１８と第２壁２７は移動部材２６の両縁に設けられている。移動部材２６とカム部材２４と回転部材２５は、同軸に配され、モータ２０の駆動力により一体に回転する。このように、移動部材２６とカム部材２４と回転部材２５を回転することで、ホルダ１９を収容位置と再生位置とに亘って移動できる。したがって、移動部材２６とカム部材２４と回転部材２５の移動軌跡を最小限にすることができ、機器本体３即ちＣＤチェンジャ１の小型化を図ることができる。
【０１７０】
さらに、カム部材２４と移動部材２６とを矢印Ｋに沿ってスライドすることを単一のモータ４１で行っている。このため、部品点数を抑制でき、ＣＤチェンジャ１の小型化と低コスト化を図ることができる。
【０１７１】
前述した実施例では、記録媒体としてのＣＤ２を複数収容するＣＤチェンジャ１を示している。しかしながら、本発明では、例えば、記録媒体としてのＭＤ（Mini Disc）を複数収容するＭＤチェンジャや、例えば、ＤＶＤ（Digital Versatile Disc）などの他の記録媒体を複数収容する記録媒体再生装置に適用しても良い。
【０１７２】
また、前述した実施例では、カム部材２４と回転部材２５と移動部材２６等を円柱状に形成し、軸芯周りに回転することで、これらを移動している。しかしながら、本発明では、カム部材２４と回転部材２５と移動部材２６等を例えば板状などの円管及び円管状以外の形状に形成し、例えば、スライドなどの軸芯周りの回転以外の方向にこれらを移動しても良い。
【０１７３】
さらに、前述した実施例では、カム部材２４と光ピックアップ７８とを一体に移動している。しかしながら、本発明では、カム部材２４と光ピックアップ７８とを必ずしも一体に移動しなくても良い。要するに、本発明では、カム部材２４と光ピックアップ７８とを連動させて移動することで、これらの相対的な位置間隔を一定に保つことができれば良い。
【０１７４】
また、前述した実施例では、連動移動機構２２により、カム部材２４の移動と、移動部材２６の移動とを、一つの駆動源により行えるようにしている。しかしながら、本発明では、カム部材２４の移動と、移動部材２６の移動とを、互いに独立した駆動源により行っても良い。さらに、カム部材２４などの回転と揺動シャーシ１７の一端部１７ａを中心とした回転を一つの駆動源により行えるようにしている。しかしながら、本発明では、カム部材２４などの回転と揺動シャーシ１７の一端部１７ａを中心とした回転を互いに独立した駆動源により行っても良い。
【０１７５】
さらに、前述した実施例では、ロック手段としてのロック部材８２，８３を二つ設けている。しかしながら、本発明では、ロック手段としてロック部材８２，８３を一つのみ設けても良く、三つ以上設けても良い。
【０１７６】
前述した実施例によれば、以下のＣＤチェンジャ１が得られる。
【０１７７】
（付記１）  ＣＤ２を保持可能な複数のホルダ１９を積層配列して収容するディスク収容部６と、
前記ホルダ１９に保持されたＣＤ２を再生する光ピックアップ７８と、
前記ディスク収容部６に収容されたＣＤ２の情報記録面と対向する位置に前記光ピックアップ７８を移動する移動機構６０と、
一つのＣＤ２を保持するホルダ１９と他のＣＤ２を保持するホルダ１９とを前記ＣＤ２の配列方向Ｋに沿って離間する分離機構７と、を備えたＣＤチェンジャ１であって、
一端部１７ａを中心として回転自在に設けられかつこの一端部１７ａを中心として回転することで、前記一つのＣＤ２を保持するホルダ１９と他のＣＤ２を保持するホルダ１９との間に侵入する揺動シャーシ１７と、
前記揺動シャーシ１７に設けられかつ前記光ピックアップ７８を設置した移動フレーム６６と、
前記光ピックアップ７８が前記ホルダ１９に保持されたＣＤ２を再生する際には前記移動フレーム６６が前記揺動シャーシ１７に対し移動することを許容するロック解除位置に変位し、前記揺動シャーシ１７が前記一端部１７ａを中心として回転する際には前記移動フレーム６６が前記揺動シャーシ１７に対し移動することを規制するロック位置に変位するロック部材８２，８３とを備え、
前記ロック部材８２，８３は、前記ロック解除位置から前記ロック位置に変位する際に、前記移動フレーム６６を前記配列方向Ｋに沿って前記揺動シャーシ１７に近づけることを特徴とするＣＤチェンジャ１。
【０１７８】
（付記２）  前記ロック部材８２，８３は、前記揺動シャーシ１７に移動自在に設けられた本体部８４，８７と、この本体部８４，８７から立設しかつ前記移動フレーム６６に係止可能な係止爪８５，８８と、を備え、
前記本体部８４，８７が前記揺動シャーシ１７に対し移動することで、前記係止爪８５，８８が前記移動フレーム６６に係止して前記ロック位置に変位し、前記係止爪８５，８８の前記移動フレーム６６への係止が解除される前記ロック解除位置に変位することを特徴とする付記１記載のＣＤチェンジャ１。
【０１７９】
（付記３）  前記ロック部材８２，８３が複数設けられていることを特徴とする付記１又は付記２記載のＣＤチェンジャ１。
【０１８０】
（付記４）  前記ロック部材８２，８３は、前記揺動シャーシ１７が一端部１７ａを中心として回転するのに連動して、前記ロック解除位置とロック位置とに亘って変位することを特徴とする付記１ないし付記３のうちいずれか一項に記載のＣＤチェンジャ１。
【０１８１】
（付記５）  前記一端部１７ａを中心として揺動シャーシ１７を回転させるモータ２０と、前記ロック部材８２，８３を前記ロック解除位置とロック位置とに亘って変位させるモータ２０とが同一であることをことを特徴とする付記４記載のＣＤチェンジャ１。
【０１８２】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【０１８３】
【図１】本発明の一実施例にかかる記録媒体再生装置としてのＣＤチェンジャの外観を示す斜視図である。
【図２】図１に示されたＣＤチェンジャの互いに組み付けられた固定シャーシとディスク搬送部とディスク再生部とディスク収容部と分離機構を示す斜視図である。
【図３】図２に示された固定シャーシとディスク再生部とディスク収容部との一部を分解して示す斜視図である。
【図４】図３に示されたディスク収容部と駆動シャーシとの組み付け状態を示す斜視図である。
【図５】図２に示されたディスク収容部のホルダと離間溝拡縮機構とを示す斜視図である。
【図６】図５に示された離間溝拡縮機構を拡大して示す斜視図である。
【図７】図６に示された離間溝拡縮機構の移動部材が第２壁から最も離れて一つのホルダの突起と案内溝とが相対した状態を示す斜視図である。
【図８】図７に示された状態の離間溝拡縮機構のカム部材等を回転して突起を案内溝の再生部に位置付けた状態を示す斜視図である。
【図９】図６に示された離間溝拡縮機構のカム部材が第２壁に最も近づいて一つのホルダの突起と案内溝とが相対した状態を示す斜視図である。
【図１０】図９に示された状態の離間溝拡縮機構のカム部材等を回転して突起を案内溝のローディング部に位置付けた状態を示す斜視図である。
【図１１】図６に示された離間溝拡縮機構を拡大して示す斜視図である。
【図１２】図１１に示された離間溝拡縮機構のカム部材と移動部材が最も上方に位置した状態を示す斜視図である。
【図１３】図１１に示された離間溝拡縮機構の移動部材が最も上方に位置しカム部材が中央部に位置した状態を示す斜視図である。
【図１４】図１１に示された離間溝拡縮機構を分解して示す斜視図である。
【図１５】図６に示された離間溝拡縮機構のカム部材、回転部材及び移動部材をこれらの周方向に展開して示す展開図である。
【図１６】図１５に示されたカム部材の案内溝を一つのホルダの突起と相対させた状態を模式的に示す展開図である。
【図１７】図１６に示された状態からカム部材等を回転して、案内溝内に突起を挿入し始めた状態を模式的に示す展開図である。
【図１８】図１７に示された状態からカム部材等を更に回転して、案内溝のローディング部内に突起が位置した状態を模式的に示す展開図である。
【図１９】図１８に示された状態からカム部材等を更に回転して、案内溝のピックアップ侵入部内に突起が位置した状態を模式的に示す展開図である。
【図２０】図１９に示された状態からカム部材等を更に回転して、案内溝のクランプ部内に突起を位置付けた状態を模式的に示す展開図である。
【図２１】図２０に示された状態からカム部材等を更に回転して、案内溝の再生部内に突起を位置付けた状態を模式的に示す展開図である。
【図２２】図２１に示された下から２つ目のホルダの突起を案内溝の再生部内に位置付けた状態を模式的に示す展開図である。
【図２３】図２１に示された上から２つ目のホルダの突起を案内溝の再生部内に位置付けた状態を模式的に示す展開図である。
【図２４】図１５に示されたカム部材を第２壁に最も近づけた状態を模式的に示す展開図である。
【図２５】図２４に示されたカム部材の案内溝に一つのホルダの突起を相対させた状態を模式的に示す展開図である。
【図２６】図２５に示された状態からカム部材等を回転して、案内溝内に突起を挿入し始めた状態を模式的に示す展開図である。
【図２７】図２６に示された状態からカム部材等を更に回転して、案内溝のローディング部内に突起を位置付けた状態を模式的に示す展開図である。
【図２８】図２７に示された上から２つ目のホルダの突起を案内溝のローディング部内に位置付けた状態を模式的に示す展開図である。
【図２９】図２７に示された下から２つ目のホルダの突起を案内溝のローディング部内に位置付けた状態を模式的に示す展開図である。
【図３０】図１５に示された状態の連動移動機構を示す平面図である。
【図３１】図１６に示された状態の連動移動機構を示す平面図である。
【図３２】図２２に示された状態の連動移動機構を示す平面図である。
【図３３】図２３に示された状態の連動移動機構を示す平面図である。
【図３４】図２４に示された状態の連動移動機構を示す平面図である。
【図３５】図２５に示された状態の連動移動機構を示す平面図である。
【図３６】図２８に示された状態の連動移動機構を示す平面図である。
【図３７】図２９に示された状態の連動移動機構を示す平面図である。
【図３８】図１に示されたＣＤチェンジャの機器本体の移動シャーシとディスク再生部などを示す平面図である。
【図３９】図３８に示されたディスク再生部が複数のＣＤ間に侵入した状態などを示す平面図である。
【図４０】図３９に示されたディスク再生部がＣＤを再生する状態などを示す平面図である。
【図４１】図３８に示されたＣＤチェンジャのロック位置に位置する第１及び第２のロック部材とディスク再生部などを示す平面図である。
【図４２】図４１に示されたディスク再生部のピックアップ部が解除位置に位置した状態を示す平面図である。
【図４３】図４２に示されたディスク再生部のクランプ部がＣＤをクランプしてピックアップ部が再生位置に位置した状態を示す平面図である。
【図４４】図４３に示された第１及び第２のロック部材がロック解除位置に位置した状態を示す平面図である。
【図４５】図４１中のＡ−Ａ線に沿って一部を断面で示す側面図である。
【図４６】図４２中のＢ−Ｂ線に沿って一部を断面で示す側面図である。
【図４７】図４３中のＣ−Ｃ線に沿って一部を断面で示す側面図である。
【図４８】図４４中のＤ−Ｄ線に沿って一部を断面で示す側面図である。
【図４９】図４１中のＥ−Ｅ線に沿う断面図である。
【図５０】図４４中のＦ−Ｆ線に沿う断面図である。
【図５１】図４１中のＧ−Ｇ線に沿う断面図である。
【図５２】図４４中のＨ−Ｈ線に沿う断面図である。
【図５３】図３９に示された状態のディスク再生部と各ホルダとの位置関係を模式的に示す説明図である。
【図５４】図４７に示された状態のディスク再生部と各ホルダとの位置関係を模式的に示す説明図である。
【図５５】図２１に示された状態のディスク再生部と各ホルダとの位置関係を模式的に示す説明図である。
【符号の説明】
【０１８４】
１  ＣＤチェンジャ（記録媒体再生装置）
２  ＣＤ（記録媒体）
６  ディスク収容部（収容部）
７  分離機構（分離手段）
１７  揺動シャーシ
１７ａ  一端部
１７ｂ  他端部
１９  ホルダ（保持部材）
２０  モータ（駆動源）
６０  移動機構（移動手段）
６６  移動フレーム
７８  光ピックアップ（再生手段）
８２  第１のロック部材（ロック手段）
８３  第２のロック部材（ロック手段）
８４  本体部
８５  係止爪
８７  本体部
８８  係止爪
Ｋ  ホルダ（保持部材）の配列方向
Ｋ１  一方側
Ｋ２  他方側
【図１】
2005293715.tif 000003
【図２】
2005293715.tif 000004
【図３】
2005293715.tif 000005
【図４】
2005293715.tif 000006
【図５】
2005293715.tif 000007
【図６】
2005293715.tif 000008
【図７】
2005293715.tif 000009
【図８】
2005293715.tif 000010
【図９】
2005293715.tif 000011
【図１０】
2005293715.tif 000012
【図１１】
2005293715.tif 000013
【図１２】
2005293715.tif 000014
【図１３】
2005293715.tif 000015
【図１４】
2005293715.tif 000016
【図１５】
2005293715.tif 000017
【図１６】
2005293715.tif 000018
【図１７】
2005293715.tif 000019
【図１８】
2005293715.tif 000020
【図１９】
2005293715.tif 000021
【図２０】
2005293715.tif 000022
【図２１】
2005293715.tif 000023
【図２２】
2005293715.tif 000024
【図２３】
2005293715.tif 000025
【図２４】
2005293715.tif 000026
【図２５】
2005293715.tif 000027
【図２６】
2005293715.tif 000028
【図２７】
2005293715.tif 000029
【図２８】
2005293715.tif 000030
【図２９】
2005293715.tif 000031
【図３０】
2005293715.tif 000032
【図３１】
2005293715.tif 000033
【図３２】
2005293715.tif 000034
【図３３】
2005293715.tif 000035
【図３４】
2005293715.tif 000036
【図３５】
2005293715.tif 000037
【図３６】
2005293715.tif 000038
【図３７】
2005293715.tif 000039
【図３８】
2005293715.tif 000040
【図３９】
2005293715.tif 000041
【図４０】
2005293715.tif 000042
【図４１】
2005293715.tif 000043
【図４２】
2005293715.tif 000044
【図４３】
2005293715.tif 000045
【図４４】
2005293715.tif 000046
【図４５】
2005293715.tif 000047
【図４６】
2005293715.tif 000048
【図４７】
2005293715.tif 000049
【図４８】
2005293715.tif 000050
【図４９】
2005293715.tif 000051
【図５０】
2005293715.tif 000052
【図５１】
2005293715.tif 000053
【図５２】
2005293715.tif 000054
【図５３】
2005293715.tif 000055
【図５４】
2005293715.tif 000056
【図５５】
2005293715.tif 000057